(57)【要約】  【課題】  購読者の個人情報に基づいて個別編集された記事を掲載したメディアを、購読者に効率よく配達することのできるメディア配達システムおよびメディア生成方法を提供する。  【解決手段】  情報処理装置２１が、各購読者３（３−１〜３−３）が所望する記事の内容が指定された個人情報データ１３１に基づいて記事データ１１１と広告データ１１２を編集して原稿データ１２１を生成し、購読者が指定する配達先が指定された個人情報１３１に基づいてメディアの配達順を特定し、該特定した配達順にしたがった順序でメディアを生成させる指示データ１２２を生成する。そして、印刷装置２３が、指示データ１２２に基づいて、原稿データ１２１に基づく印刷処理を実行する。【選択図】        図２
2006268681.tif 000002
【特許請求の範囲】
【請求項１】
購読者の個人情報に基づいて個別編集された記事を掲載したメディアを配達するメディア配達システムにおいて、
購読者が所望する記事の内容を示す記事情報を取得し、該取得した記事情報に基づいて記事を編集して原稿を生成する第１の情報処理手段と、
購読者が指定する配達先を示す配達情報に基づいてメディアの配達順を特定し、該特定した配達順にしたがった順序でメディアを生成させる指示を生成する第２の情報処理手段と、
前記第２の情報処理手段が生成した指示に基づいて、前記第１の情報処理手段が生成した原稿に応じたメディアを生成するメディア生成手段と
を具備することを特徴とするメディア配達システム。
【請求項２】
前記第１の情報処理手段と前記第２の情報処理手段と前記メディア生成手段は、前記記事情報および前記配達情報を管理する個人情報管理手段とともに、前記メディア生成手段が生成したメディアの配達を管理する配達所に配置されることを特徴とする請求項１記載のメディア配達システム。
【請求項３】
前記第１の情報処理手段は、前記記事情報および前記配達情報を管理する個人情報管理手段とともに、前記記事を配信する配信元に配置され、
前記第２の情報処理手段と前記メディア生成手段は、該メディア生成手段が生成したメディアの配達を管理する配達所に配置される
ことを特徴とする請求項１記載のメディア配達システム。
【請求項４】
前記第１の情報処理手段は、前記記事情報および前記配達情報を管理する個人情報管理手段とともに、前記記事を配信する配信元に配置され、
前記第２の情報処理手段と前記メディア生成手段は、該メディア生成手段が生成したメディアの配達に利用する車両に配置される
ことを特徴とする請求項１記載のメディア配達システム。
【請求項５】
前記第１の情報処理手段は、前記記事情報と識別情報とを組にして管理する第１の個人情報管理手段とともに、前記記事を配信する配信元に配置され、
前記第２の情報処理手段と前記メディア生成手段は、前記配達情報と前記識別情報とを組にして管理する第２の個人情報管理手段とともに、該メディア生成手段が生成したメディアの配達を管理する配達所に配置され、
前記第１の情報処理手段は、前記識別情報を含めてた原稿を生成し、
前記第２の情報処理手段は、前記第１の情報処理手段が生成した原稿中に含まれる前記識別情報を前記配達情報に変換する
ことを特徴とする請求項１記載のメディア配達システム。
【請求項６】
前記第２の情報処理手段は、前記配達順を掲載したメディアを生成させる指示をさらに生成することを特徴とする請求項１記載のメディア配達システム。
【請求項７】
前記第２の情報処理手段は、前記配達情報に基づいて配達先の位置情報を特定し、該特定した位置情報を前記第１の情報処理手段が生成した原稿に含めることを特徴とする請求項１記載のメディア配達システム。
【請求項８】
前記メディア生成手段は、前記原稿に基づいて用紙上に画像を印刷する画像形成手段であることを特徴とする請求項１記載のメディア配達システム。
【請求項９】
前記配達情報は、購読者が所望する配達時刻を含み、
前記第２の情報処理手段は、前記配達情報に含まれる配達先と配達時刻とに基づいて、前記配達順を特定する
ことを特徴とする請求項１記載のメディア配達システム。
【請求項１０】
前記記事情報と前記配達情報は、対応する購読者により任意に変更が可能であることを特徴とする請求項１記載のメディア配達システム。
【請求項１１】
購読者の個人情報に基づいて個別編集された記事を掲載したメディアを生成するメディア生成方法であって、
第１の情報処理手段が、購読者が所望する記事の内容を示す記事情報に基づいて記事を編集して原稿を生成し、
第２の情報処理手段が、購読者が指定する配達先を示す配達情報に基づいてメディアの配達順を特定し、該特定した配達順にしたがった順序でメディアを生成させる指示を生成し、
メディア生成手段が、前記指示に基づいて、前記原稿に応じたメディアを生成する
ことを特徴とするメディア生成方法。
【請求項１２】
前記原稿の生成と、前記指示の生成、前記メディアの生成は、前記記事情報および前記配達情報の管理とともに、メディアの配達を管理する配達所で行われることを特徴とする請求項１１記載のメディア生成方法。
【請求項１３】
前記原稿の生成は、前記記事情報および前記配達情報の管理とともに、前記記事を配信する配信元で行われ、
前記指示の生成および前記メディアの生成は、メディアの配達を管理する配達所で行われる
ことを特徴とする請求項１１記載のメディア生成方法。
【請求項１４】
前記原稿の生成は、前記記事情報および前記配達情報の管理とともに、前記記事を配信する配信元で行われ、
前記指示の生成および前記メディアの生成は、メディアの配達に利用する車両内で行われる
ことを特徴とする請求項１１記載のメディア生成方法。
【請求項１５】
前記原稿は、前記記事を配信する配信元で前記記事情報と組にして管理される識別情報を含めて生成され、該識別情報は、メディアの配達を管理する配達所で該識別情報と組にして管理される前記配達情報に変換されることを特徴とする請求項１１記載のメディア生成方法。
【請求項１６】
前記第２の情報処理手段は、前記配達順を掲載したメディアを生成させる指示をさらに生成することを特徴とする請求項１１記載のメディア生成方法。
【請求項１７】
前記第２の情報処理手段は、前記配達情報に基づいて配達先の位置情報を特定し、該特定した位置情報を前記第１の情報処理手段が生成した原稿に含めることを特徴とする請求項１１記載のメディア生成方法。
【請求項１８】
前記メディア生成手段は、前記原稿に基づいて用紙上に画像を印刷する画像形成手段であることを特徴とする請求項１１記載のメディア生成方法。
【請求項１９】
前記配達情報は、購読者が所望する配達時刻を含み、
前記配達順はは、前記配達情報に含まれる配達先と配達時刻とに基づいて特定される
ことを特徴とする請求項１１記載のメディア生成方法。
【請求項２０】
前記記事情報と前記配達情報は、対応する購読者により任意に変更が可能であることを特徴とする請求項１１記載のメディア生成方法。
【発明の詳細な説明】
【技術分野】
【０００１】
本発明は、メディア配達システムおよびメディア生成方法に関し、特に、購読者の個人情報に基づいて個別編集された記事を掲載したメディアを配達するメディア配達システムおよびメディア生成方法に関する。
【背景技術】
【０００２】
近年、インターネット等の通信手段の発達に伴い、個人が様々な情報を入手できる環境にある。その一方で、新聞等の携帯が可能なメディアの需要も依然として多く、両者の特長を融合したパーソナル新聞販売システムが提案されている（例えば、特許文献１参照）。
【０００３】
このパーソナル新聞は、予め登録された購読者の個人情報に基づき、その購読者用の新聞紙面を自動生成するもので、電子新聞と異なり表示装置が電子デバイスではなく紙を用いており、めくって流し読みの操作性が良く、任意の場所で読む事が出来、持ち運びが容易であるといった特長を有している。
【特許文献１】特開２００２−２９８０１７号公報
【発明の開示】
【発明が解決しようとする課題】
【０００４】
しかしながら、前述の特許文献１に記載されたパーソナル新聞は、購読者が小売店等で受け取ることを前提としており、購読者に効率よく配達する仕組みについては考慮されていなかった。
【０００５】
そこで、本発明は、購読者の個人情報に基づいて個別編集された記事を掲載したメディアを、購読者に効率よく配達することのできるメディア配達システムおよびメディア生成方法を提供することを目的とする。
【課題を解決するための手段】
【０００６】
前述した目的を達成するため、請求項１の発明は、購読者の個人情報に基づいて個別編集された記事を掲載したメディアを配達するメディア配達システムにおいて、購読者が所望する記事の内容を示す記事情報を取得し、該取得した記事情報に基づいて記事を編集して原稿を生成する第１の情報処理手段と、購読者が指定する配達先を示す配達情報に基づいてメディアの配達順を特定し、該特定した配達順にしたがった順序でメディアを生成させる指示を生成する第２の情報処理手段と、前記第２の情報処理手段が生成した指示に基づいて、前記第１の情報処理手段が生成した原稿に応じたメディアを生成するメディア生成手段とを具備することを特徴とする。
【０００７】
また、請求項２の発明は、請求項１の発明において、前記第１の情報処理手段と前記第２の情報処理手段と前記メディア生成手段は、前記記事情報および前記配達情報を管理する個人情報管理手段とともに、前記メディア生成手段が生成したメディアの配達を管理する配達所に配置されることを特徴とする。
【０００８】
また、請求項３の発明は、請求項１の発明において、前記第１の情報処理手段は、前記記事情報および前記配達情報を管理する個人情報管理手段とともに、前記記事を配信する配信元に配置され、前記第２の情報処理手段と前記メディア生成手段は、該メディア生成手段が生成したメディアの配達を管理する配達所に配置されることを特徴とする。
【０００９】
また、請求項４の発明は、請求項１の発明において、前記第１の情報処理手段は、前記記事情報および前記配達情報を管理する個人情報管理手段とともに、前記記事を配信する配信元に配置され、前記第２の情報処理手段と前記メディア生成手段は、該メディア生成手段が生成したメディアの配達に利用する車両に配置されることを特徴とする。
【００１０】
また、請求項５の発明は、請求項１の発明において、前記第１の情報処理手段は、前記記事情報と識別情報とを組にして管理する第１の個人情報管理手段とともに、前記記事を配信する配信元に配置され、前記第２の情報処理手段と前記メディア生成手段は、前記配達情報と前記識別情報とを組にして管理する第２の個人情報管理手段とともに、該メディア生成手段が生成したメディアの配達を管理する配達所に配置され、前記第１の情報処理手段は、前記識別情報を含めてた原稿を生成し、前記第２の情報処理手段は、前記第１の情報処理手段が生成した原稿中に含まれる前記識別情報を前記配達情報に変換することを特徴とする。
【００１１】
また、請求項６の発明は、請求項１の発明において、前記第２の情報処理手段は、前記配達順を掲載したメディアを生成させる指示をさらに生成することを特徴とする。
【００１２】
また、請求項７の発明は、請求項１の発明において、前記第２の情報処理手段は、前記配達情報に基づいて配達先の位置情報を特定し、該特定した位置情報を前記第１の情報処理手段が生成した原稿に含めることを特徴とする。
【００１３】
また、請求項８の発明は、請求項１の発明において、前記メディア生成手段は、前記原稿に基づいて用紙上に画像を印刷する画像形成手段であることを特徴とする。
【００１４】
また、請求項９の発明は、請求項１の発明において、前記配達情報は、購読者が所望する配達時刻を含み、前記第２の情報処理手段は、前記配達情報に含まれる配達先と配達時刻とに基づいて、前記配達順を特定することを特徴とする。
【００１５】
また、請求項１０の発明は、請求項１の発明において、前記記事情報と前記配達情報は、対応する購読者により任意に変更が可能であることを特徴とする。
【００１６】
また、請求項１１の発明は、購読者の個人情報に基づいて個別編集された記事を掲載したメディアを生成するメディア生成方法であって、第１の情報処理手段が、購読者が所望する記事の内容を示す記事情報に基づいて記事を編集して原稿を生成し、第２の情報処理手段が、購読者が指定する配達先を示す配達情報に基づいてメディアの配達順を特定し、該特定した配達順にしたがった順序でメディアを生成させる指示を生成し、メディア生成手段が、前記指示に基づいて、前記原稿に応じたメディアを生成することを特徴とする。
【００１７】
また、請求項１２の発明は、請求項１１の発明において、前記原稿の生成と、前記指示の生成、前記メディアの生成は、前記記事情報および前記配達情報の管理とともに、メディアの配達を管理する配達所で行われることを特徴とする。
【００１８】
また、請求項１３の発明は、請求項１１の発明において、前記原稿の生成は、前記記事情報および前記配達情報の管理とともに、前記記事を配信する配信元で行われ、前記指示の生成および前記メディアの生成は、メディアの配達を管理する配達所で行われることを特徴とする。
【００１９】
また、請求項１４の発明は、請求項１１の発明において、前記原稿の生成は、前記記事情報および前記配達情報の管理とともに、前記記事を配信する配信元で行われ、前記指示の生成および前記メディアの生成は、メディアの配達に利用する車両内で行われることを特徴とする。
【００２０】
また、請求項１５の発明は、請求項１１の発明において、前記原稿は、前記記事を配信する配信元で前記記事情報と組にして管理される識別情報を含めて生成され、該識別情報は、メディアの配達を管理する配達所で該識別情報と組にして管理される前記配達情報に変換されることを特徴とする。
【００２１】
また、請求項１６の発明は、請求項１１の発明において、前記第２の情報処理手段は、前記配達順を掲載したメディアを生成させる指示をさらに生成することを特徴とする。
【００２２】
また、請求項１７の発明は、請求項１１の発明において、前記第２の情報処理手段は、前記配達情報に基づいて配達先の位置情報を特定し、該特定した位置情報を前記第１の情報処理手段が生成した原稿に含めることを特徴とする。
【００２３】
また、請求項１８の発明は、請求項１１の発明において、前記メディア生成手段は、前記原稿に基づいて用紙上に画像を印刷する画像形成手段であることを特徴とする。
【００２４】
また、請求項１９の発明は、請求項１１の発明において、前記配達情報は、購読者が所望する配達時刻を含み、前記配達順はは、前記配達情報に含まれる配達先と配達時刻とに基づいて特定されることを特徴とする。
【００２５】
また、請求項２０の発明は、請求項１１の発明において、前記記事情報と前記配達情報は、対応する購読者により任意に変更が可能であることを特徴とする。
【発明の効果】
【００２６】
本発明によれば、購読者の個人情報に基づいて個別編集された記事を掲載したメディアを、購読者に効率よく配達することが可能となる。
【発明を実施するための最良の形態】
【００２７】
以下、本発明に係るメディア配達システムおよびメディア生成方法の一実施の形態について、添付図面を参照して詳細に説明する。
【実施例１】
【００２８】
図１は、本発明を適用したメディア配達システムの全体像を説明するための図である。同図に示すように、本発明を適用したメディア配達システムは、記事提供者である新聞社１から提供される記事を掲載したメディアを、記事配達者である新聞販売所２（２−１〜２−ｎ）の従事者が、購読者３（３−１〜３−ｍ）に配達する。
【００２９】
図２は、実施例１におけるメディア配達システムの構成を示した図である。同図に示すように、実施例１におけるメディア配達システムでは、新聞社１が、配信する記事や広告等の情報を管理する配信情報ＤＢ１１を有し、新聞販売所２が、記事に基づくメディア用の原稿の生成や配達順の特定等の処理を実行する情報処理装置２１と、配達用のルート情報や購読者３の個人情報を管理するルート情報・個人情報ＤＢ２２、原稿に基づいて用紙上に画像を印刷する印刷装置２３を有している。
【００３０】
この構成においては、新聞販売所２で、記事の編集、新聞紙面の印刷、購読者への配達の各処理を行うが、これらの処理は、購読者３から収集してルート情報・個人情報ＤＢ２２で管理している個人情報データ１３１に基づいて行われる。個人情報データ１３１は、各購読者３が配達先として指定する住所情報と、各購読者３が所望する記事の分野や配達時刻を指定するカスタマイズ情報が含まれている。
【００３１】
新聞販売所２では、情報処理装置２１が、配信情報ＤＢ１１から記事データ１１１と広告データ１１２を取得すると、個人情報データ１３１のカスタマイズ情報に基づいて、これらを編集した原稿データ１２１を生成する。また、情報処理装置２１は、個人情報データ１３１のカスタマイズ情報に含まれる配達時刻と住所情報に基づいて、新聞の配達順を決定し、その順に応じた印刷順と仕分順を指示した指示データ１２２を生成し、これを原稿データ１２１とともに、印刷装置２３へ出力する。仕分順とは、例えば、複数の購読者３に対して同一紙面を提供する場合、単に購読者３毎の印刷順を指定しただけでは、効率が良くないため、同一紙面を一度に複数枚印刷して、これを仕分けにより各購読者３用に調整する処理の順序を示したものである。
【００３２】
印刷装置２３は、指示データ１２２で指示された印刷順と仕分順に応じて原稿データ１２１に基づく印刷処理を順に行い、各購読者３用のパーソナル新聞１２３を印刷する。また、印刷装置２３は、パーソナル新聞１２３の配達順を掲載した配達指示書１２４も併せて印刷する。
【００３３】
パーソナル新聞１２３と配達指示書１２４が印刷されると、新聞販売所の従事者２４が、配達指示書１２４の内容に従って、パーソナル新聞１２３を各購読者３に配達する。
【００３４】
ここで、情報処理装置２１での処理の流れを説明する。図３は、情報処理装置２１による原稿生成処理の流れを示したフローチャートであり、図４は、情報処理装置２１による印刷指示の流れを示したフローチャートである。
【００３５】
情報処理装置２１は、原稿を生成する際には、まず、個人情報１３１を取得し（ステップ２０１）、取得した個人情報１３１に基づいて、記事データ１１１から必要な情報を抽出し（ステップ２０２）、広告データ１１２から必要な情報を抽出する（ステップ２０３）。そして、抽出した記事データ１１１と広告データ１１２のレイアウトを決定し（ステップ２０４）、決定したレイアウトに従って、原稿データ１２１を生成する（ステップ２０５）。情報処理装置２１は、これらの処理を購読者３の数に応じて繰り返し、全購読者３に対応した原稿データを生成する。
【００３６】
また、情報処理装置２１は、印刷装置２３へ印刷指示を発する際には、まず、個人情報を取得し（ステップ２１１）、各購読者３への配達先と配達時刻を特定する（ステップ２１２）。そして、特定した配達先と配達時刻に基づいて配達順を決定し（ステップ２１３）、原稿データ１２１の印刷順と仕分順を決定し（ステップ２１４）、印刷順と仕分順に基づいて指示データ１２２を生成する（ステップ２１５）。そして、配達指示書１２４用の原稿データを生成し、原稿データ１２１と指示データ１２２、配達指示書１２４用の原稿データを印刷装置２３へ出力し（ステップ２１７）、処理を終了する。
【実施例２】
【００３７】
図５は、実施例２におけるメディア配達システムの構成を示した図である。同図に示すように、実施例２におけるメディア配達システムでは、新聞社１が、配信する記事や広告等の情報や購読者３の個人情報を管理する配信情報・個人情報ＤＢ３１１を有し、新聞販売所２が、配達順の特定等の処理を実行する情報処理装置３２１と、配達用のルート情報を管理するルート情報ＤＢ３２２、原稿に基づいて用紙上に画像を印刷する印刷装置３２３を有している。
【００３８】
この構成においては、新聞販売所２で、新聞紙面の印刷、購読者への配達の各処理を行うが、これらの処理は、新聞社１が購読者３から収集して配信情報・個人情報ＤＢ３１１で管理している個人情報データ４３１に基づいて行われる。個人情報データ４３１は、各購読者３が配達先として指定する住所情報と、各購読者３が所望する記事の分野や配達時刻を指定するカスタマイズ情報が含まれている。また、住所情報としては、通常の配達先を指定する住所情報(Main)と、一時的な配達先を指定する住所情報(Temp)を指定することができる。
【００３９】
新聞販売所２では、情報処理装置３２１が、配信情報・個人情報ＤＢ３１１から、各購読者３毎に生成された住所情報＆原稿データ４１１を取得する。この住所情報＆原稿データ４１１は、実施例１で図３を参照して説明した処理と同様の処理によって、配信情報・個人情報ＤＢ３１１で生成された原稿データに住所情報が付加されたものである。
【００４０】
また、情報処理装置３２１は、住所情報＆原稿データ４１１から原稿データ４２１を抽出し、住所情報＆原稿データ４１１に含まれる配達時刻と住所情報に基づいて、新聞の配達順を決定して、その順に応じた印刷順と仕分順を指示した指示データ４２２を生成する。そして、指示データ４２２を原稿データ４２１とともに、印刷装置３２３へ出力する。仕分順とは、例えば、複数の購読者３に対して同一紙面を提供する場合、単に購読者３毎の印刷順を指定しただけでは、効率が良くないため、同一紙面を一度に複数枚印刷して、これを仕分けにより各購読者３用に調整する処理の順序を示したものである。これらの処理は、実施例１で図４を参照して説明した処理と同様の処理である。
【００４１】
印刷装置３２３は、指示データ４２２で指示された印刷順と仕分順に応じて原稿データ４２１に基づく印刷処理を順に行い、各購読者３用のパーソナル新聞４２３を印刷する。また、印刷装置３２３は、パーソナル新聞４２３の配達順を掲載した配達指示書４２４も併せて印刷する。
【００４２】
パーソナル新聞４２３と配達指示書４２４が印刷されると、新聞販売所の従事者３２４が、配達指示書４２４の内容に従ってパーソナル新聞４２３を各購読者３に配達する。
【００４３】
この実施例２の構成では、購読者３の個人情報を新聞社１が一元管理するため、購読者３が一時的に配達先の変更を所望した場合でも、複数の新聞販売所２の間で個人情報の交換を行う必要がなく、配達先の変更を効率よく行うことができる。
【実施例３】
【００４４】
図６は、実施例３におけるメディア配達システムの構成を示した図である。なお、実施例３では、新聞販売所２に代えて新聞配達車両を利用する。同図に示すように、実施例３におけるメディア配達システムでは、新聞社１が、配信する記事や広告等の情報や購読者３の個人情報を管理する配信情報・個人情報ＤＢ５１１を有し、配達車４が、配達順の特定等の処理を実行する情報処理装置５４１と、配達用のルート情報を管理するルート情報ＤＢ５４２、原稿に基づいて用紙上に画像を印刷する印刷装置５４３を有している。
【００４５】
この構成においては、配達車４で、新聞紙面の印刷、購読者への配達の各処理を行うが、これらの処理は、新聞社１が購読者３から収集して配信情報・個人情報ＤＢ５１１で管理している個人情報データ６３１に基づいて行われる。個人情報データ６３１は、各購読者３が配達先として指定する住所情報と、各購読者３が所望する記事の分野や配達時刻を指定するカスタマイズ情報が含まれている。また、住所情報としては、通常の配達先を指定する住所情報(Main)と、一時的な配達先を指定する住所情報(Temp)を指定することができる。なお、住所情報(Temp)には、一時的な配達先を指定する住所情報(Temp)を、１箇所に限らず複数箇所指定することができる。
【００４６】
配達車４では、情報処理装置５２１が、配信情報・個人情報ＤＢ５１１から、各購読者３毎に生成された住所情報＆原稿データ６１１を取得する。この住所情報＆原稿データ６１１は、実施例１で図３を参照して説明した処理と同様の処理によって、配信情報・個人情報ＤＢ５１１で生成された原稿データに住所情報が付加されたものである。
【００４７】
また、情報処理装置５２１は、住所情報＆原稿データ６１１から原稿データ６２１を抽出し、住所情報＆原稿データ６１１に含まれる配達時刻と住所情報に基づいて、新聞の配達順を決定して、その順に応じた印刷順と仕分順を指示した指示データ６２２を生成する。そして、指示データ６２２を原稿データ６２１とともに、印刷装置５２３へ出力する。仕分順とは、例えば、複数の購読者３に対して同一紙面を提供する場合、単に購読者３毎の印刷順を指定しただけでは、効率が良くないため、同一紙面を一度に複数枚印刷して、これを仕分けにより各購読者３用に調整する処理の順序を示したものである。これらの処理は、実施例１で図４を参照して説明した処理と同様の処理である。
【００４８】
印刷装置５２３は、指示データ６２２で指示された印刷順と仕分順に応じて原稿データ６２１に基づく印刷処理を順に行い、各購読者３用のパーソナル新聞６２３を印刷する。このパーソナル新聞６２３の印刷は、パーソナル新聞６２３の配達順を掲載した配達指示書６２４を印刷した後に、順次、実行される。
【００４９】
配達指示書６２４が印刷されると、配達車４は、移動を開始し、その過程においてパーソナル新聞６２３を順次印刷し、配達指示書６２４の内容に従ってパーソナル新聞６２３を各購読者３に配達する。
【００５０】
この実施例３の構成では、各購読者３に最新の記事を届けることができる。なお、実施例３の構成は、実施例２で説明した構成と併せて利用することが可能である。
【実施例４】
【００５１】
図７は、実施例４におけるメディア配達システムの構成を示した図である。同図に示すように、実施例４におけるメディア配達システムでは、新聞社１が、配信する記事や広告等の情報や購読者３の個人情報を管理する配信情報・個人情報ＤＢ７１１を有し、新聞販売所２が、配達順の特定等の処理を実行する情報処理装置７２１と、配達用のルート情報や購読者３の個人情報を管理するルート情報・個人情報ＤＢ７２２、原稿に基づいて用紙上に画像を印刷する印刷装置７２３を有している。
【００５２】
この構成においては、新聞販売所２で、新聞紙面の印刷、購読者への配達の各処理を行うが、これらの処理は、新聞社１が購読者３から収集して配信情報・個人情報ＤＢ７１１で管理している個人情報データ８３１と、新聞販売所２が購読者３から収集してルート情報・個人情報ＤＢ７２２で管理している個人情報データ８３２に基づいて行われる。
【００５３】
個人情報データ８３１は、各購読者３を特定するＫｅｙ情報と各購読者３が所望する記事の分野や配達時刻を指定するカスタマイズ情報が組となって含まれており、個人情報データ８３２は、各購読者３を特定するＫｅｙ情報と各購読者３が配達先として指定する住所情報が組となって含まれている。
【００５４】
新聞販売所２では、情報処理装置７２１が、配信情報・個人情報ＤＢ７１１から、各購読者３毎に生成された原稿データ８１１を取得する。この原稿データ８１１は、実施例１で図３を参照して説明した処理と同様の処理によって、配信情報・個人情報ＤＢ７１１で生成されるものであるが、個人情報データ８３１で管理されるＫｅｙ情報が含まれているものである。
【００５５】
また、情報処理装置７２１は、ルート情報・個人情報ＤＢ７２２で管理している個人情報データ８３２に基づいて、原稿データ８１１に含まれるＫｅｙ情報を住所情報等に変換した原稿データ８２１を生成するとともに、新聞の配達順を決定して、その順に応じた印刷順と仕分順を指示した指示データ８２２を生成する。そして、指示データ８２２を原稿データ８２１とともに、印刷装置７２３へ出力する。仕分順とは、例えば、複数の購読者３に対して同一紙面を提供する場合、単に購読者３毎の印刷順を指定しただけでは、効率が良くないため、同一紙面を一度に複数枚印刷して、これを仕分けにより各購読者３用に調整する処理の順序を示したものである。これらの処理は、実施例１で図４を参照して説明した処理と同様の処理である。
【００５６】
印刷装置７２３は、指示データ８２２で指示された印刷順と仕分順に応じて原稿データ８２１に基づく印刷処理を順に行い、各購読者３用のパーソナル新聞８２３を印刷する。また、印刷装置７２３は、パーソナル新聞８２３の配達順を掲載した配達指示書８２４も併せて印刷する。
【００５７】
パーソナル新聞８２３と配達指示書８２４が印刷されると、新聞販売所の従事者７２４が、配達指示書８２４の内容に従ってパーソナル新聞８２３を各購読者３に配達する。
【００５８】
この実施例４の構成では、新聞社１と新聞販売所２の間の通信に、インターネット等の情報が漏洩する可能性のある経路を利用したとしても、購読者３の個人情報が流出することはない。
【実施例５】
【００５９】
実施例５では、実施例１乃至４のそれぞれで説明した構成に付加して実行可能な構成を数例説明する。
【００６０】
図８は、パーソナル新聞の配達にＧＰＳ(Global Positioning System)を利用する場合の例を説明するための図である。
【００６１】
ＧＰＳを利用する場合、パーソナル新聞を配達する配達者は、ＧＰＳ衛星９０５の電波を受信して現在位置情報を特定することのできる照合装置９０６を携帯する。
【００６２】
一方、パーソナル新聞９２３には、購読者３が指定する配達場所の位置情報９２５をバーコード等で印刷する。
【００６３】
そして、配達者は、購読者３が指定する配達場所で、位置情報９２５を照合装置９０６で読み取り、ＧＰＳ衛星９０５の電波を受信して特定した現在位置情報と照合する。その結果、配達しようとするパーソナル新聞の配達先の正偽が判明するため、パーソナル新聞の誤配を防止することができる。
【００６４】
図９は、パーソナル新聞にインデックスを含める場合のインデックス生成装置の機能的な構成を示した図である。
【００６５】
同図に示すインデックス装置は、検索部１００１と検索部１００２を有している。検索部１００１は、記事を格納した記事ＤＢ１１０１へアクセスして記事を検索する。検索部１００２は、記事ＤＢ１１０１や書籍ＤＢ１１０２、通信社ＤＢ１１０３、ＸＸ−ＤＢ１１０４、ＷＷＷサーバ１００５、単語分類ＤＢ１１０６等の複数のデータベースへアクセスして、その内容を検索する。
【００６６】
この構成において、検索部１００１は、登録済みの個人情報１２０１に基づいて、記事ＤＢ１１０１を検索して、インデックス情報１２０２を生成するとともに、キーワード情報テーブル１２０３を生成する。検索部１００２は、キーワード情報テーブル１２０３に基づいて、記事ＤＢ１１０１や書籍ＤＢ１１０２、通信社ＤＢ１１０３、ＸＸ−ＤＢ１１０４、ＷＷＷサーバ１００５、単語分類ＤＢ１１０６等の複数のデータベースへアクセスし、所望のキーワードを含む情報へのリンク情報１２０４を生成する。
【００６７】
このインデックス情報１２０２とリンク情報１２０４は、パーソナル新聞に同一紙面若しくは別紙面として付加される。
【００６８】
この他にも、購読者の要求に応じてパーソナル新聞に利用する用紙の種別を変更したり、印刷モードをカラー／モノクロ若しくは解像度の異なるものに変更したり、印刷する文字の変更したりといったことを行うことができる。
【００６９】
また、購読者の要求に応じて、課金額を詳細に設定することで、例えば、一時的な配達の変更等があった場合でも、変更を行わない購読者との差別化を行うことができる。
【図面の簡単な説明】
【００７０】
【図１】本発明を適用したメディア配達システムの全体像を説明するための図である。
【図２】実施例１におけるメディア配達システムの構成を示した図である。
【図３】情報処理装置２１による原稿生成処理の流れを示したフローチャートである。
【図４】情報処理装置２１による印刷指示の流れを示したフローチャートである。
【図５】実施例２におけるメディア配達システムの構成を示した図である。
【図６】実施例３におけるメディア配達システムの構成を示した図である。
【図７】実施例４におけるメディア配達システムの構成を示した図である。
【図８】パーソナル新聞の配達にＧＰＳ(Global Positioning System)を利用する場合の例を説明するための図である。
【図９】パーソナル新聞にインデックスを含める場合のインデックス生成装置の機能的な構成を示した図である。
【符号の説明】
【００７１】
１    新聞社
２、２−１〜２−ｎ    新聞販売所
３、３−１〜３−ｍ    購読者
４    配達車
１１    配信情報ＤＢ
２１    情報処理装置
２２    ルート情報・個人情報ＤＢ
２３    印刷装置
２４    従事者
１１１    記事データ
１１２    広告データ
１２１    原稿データ
１２２    指示データ
１２３    パーソナル新聞
１２４    配達指示書
１３１    個人情報データ
３１１    配信情報・個人情報ＤＢ
３２１    情報処理装置
３２２    ルート情報ＤＢ
３２３    印刷装置
３２４    従事者
４１１    住所情報＆原稿データ
４２１    原稿データ
４２２    指示データ
４２３    パーソナル新聞
４２４    配達指示書
４３１    個人情報データ
５１１    配信情報・個人情報ＤＢ
５４１    情報処理装置
５４２    ルート情報ＤＢ
５４３    印刷装置
６１１    住所情報＆原稿データ
６３１    個人情報データ
６４１    原稿データ
６４２    指示データ
６４３    パーソナル新聞
６４４    配達指示書
７１１    配信情報・個人情報ＤＢ
７２１    情報処理装置
７２２    ルート情報・個人情報ＤＢ
７２３    印刷装置
７２４    従事者
８１１    原稿データ
８２１    原稿データ
８２２    指示データ
８２３    パーソナル新聞
８２４    配達指示書
８３１    個人情報データ
８３２    個人情報データ
９０５    ＧＰＳ衛星
９０６    照合装置
９２３    パーソナル新聞
９２５    位置情報
１００１    検索部
１００２    検索部
１１０１    記事ＤＢ
１１０２    書籍ＤＢ
１１０３    通信社ＤＢ
１１０４    ＸＸ−ＤＢ
１１０５    ＷＷＷサーバ
１００６    単語分類ＤＢ
１２０１    登録済みの個人情報
１２０２    インデックス情報
１２０３    キーワード情報テーブル
１２０４    リンク情報
【図１】
2006268681.tif 000003
【図２】
2006268681.tif 000004
【図３】
2006268681.tif 000005
【図４】
2006268681.tif 000006
【図５】
2006268681.tif 000007
【図６】
2006268681.tif 000008
【図７】
2006268681.tif 000009
【図８】
2006268681.tif 000010
【図９】
2006268681.tif 000011